(57)【要約】【課題】２Ｄ画像と３Ｄ画像とが混在する複数の画像を再生する際に、現在表示されている画像が２次元画像か３次元画像かを直感的に識別可能にする。【解決手段】２Ｄ画像と３Ｄ画像とが混在する画像を再生する際に、ファイル名の拡張子から２Ｄ画像か３Ｄ画像かを判別し、３Ｄ画像の場合には、視差をもった３Ｄ表示用の指向性画像を含む複数の指向性画像を生成する。これらの複数の指向性画像は、３Ｄ ＬＣＤ１２を正面から見たときに３Ｄ画像として視認可能な視差画像（左画像と右画像）と、３Ｄ ＬＣＤ１２を右から見たときに該３Ｄ画像の付属情報が視認可能の画像とを含んでいる。これにより、３Ｄ ＬＣＤ１２を視認するときの左右方向の角度を変えることで、現在表示されている画像が２Ｄ画像か３Ｄ画像かを直感的に識別することできる。【選択図】  図８
2011109268.tif 000002
【特許請求の範囲】
【請求項１】
左右方向に異なる指向性をもった２以上の指向性画像を同時に表示可能な３次元画像表示手段と、
２次元画像が記録された２次元画像ファイルと複数の視点から同一被写体を撮影した複数の画像からなる３次元画像が記録された３次元画像ファイルとが混在して記録された記録メディアから再生用の画像ファイルを取得する画像取得手段と、
前記画像取得手段が取得した画像ファイルが２次元画像ファイルか３次元画像ファイルかを判別する判別手段と、
前記判別手段により前記取得した画像ファイルが２次元画像ファイルと判別されると、該２次元画像ファイル内の画像に基づいて同時に表示させる２次元表示用の指向性画像を含む複数の第１の指向性画像を生成し、３次元画像ファイルと判別されると、該３次元画像ファイル内の画像に基づいて同時に表示させる視差をもった３次元表示用の指向性画像を含む複数の第２の指向性画像を生成する表示用画像生成手段と、
前記表示用画像生成手段により生成された第１の指向性画像又は第２の指向性画像に基づいて前記３次元画像表示手段に２次元画像又は３次元画像を表示させる表示制御手段と、を備え、
前記表示用画像生成手段は、前記第１の指向性画像及び第２の指向性画像のうちの少なくとも一方の指向性画像を、前記３次元画像表示手段が正面から視認される画像と左右方向から視認される画像とが異なる画像になるように生成することを特徴とする３次元画像表示装置。
【請求項２】
前記表示用画像生成手段により生成される第１の指向性画像又は第２の指向性画像は、前記３次元画像表示手段が正面から視認される場合には、それぞれ２次元画像又は３次元画像として視認される第１の画像を含むことを特徴とする請求項１に記載の３次元画像表示装置。
【請求項３】
前記表示用画像生成手段により生成される第１の指向性画像又は第２の指向性画像は、前記３次元画像表示手段が左右方向から視認される場合には、前記第１の画像とは異なる画像として視認される第２の画像を含むことを特徴とする請求項２に記載の３次元画像表示装置。
【請求項４】
前記表示用画像生成手段により生成される第１の指向性画像又は第２の指向性画像に含まれる前記第２の画像は、前記２次元画像ファイル又は３次元画像ファイルに画像とともに記録された付属情報を表示するための画像であることを特徴とする請求項３に記載の３次元画像表示装置。
【請求項５】
前記表示用画像生成手段により生成される第２の指向性画像に含まれる前記第２の画像は、前記３次元画像表示手段が正面から視認される３次元画像とは前記３次元画像表示手段上の左右方向の表示位置が異なる別の３次元画像であることを特徴とする請求項３に記載の３次元画像表示装置。
【請求項６】
前記判別手段は、前記画像ファイルの拡張子又は該画像ファイルに格納された付属情報に基づいて該画像ファイルが２次元画像ファイルか３次元画像ファイルかを判別することを特徴とする請求項１から５のいずれかに記載の３次元画像表示装置。
【請求項７】
前記表示用画像生成手段は、前記画像取得手段により取得された複数の画像ファイルに基づいて複数の縮小画像を生成するとともに、該複数の縮小画像がマトリクス状に配列された１画面分のマルチ画像を生成するマルチ画像生成手段を含み、前記マルチ画像を構成する各縮小画像を、各縮小画像に対応する画像ファイルが２次元画像ファイルか３次元画像ファイルかに応じて前記第１の指向性画像又は第２の指向性画像として生成することを特徴とする請求項１から６のいずれかに記載の３次元画像表示装置。
【請求項８】
前記３次元画像ファイルは、先頭画像に続いて１ないし複数の画像が連続して格納されたマルチピクチャファイルであり、
前記表示用画像生成手段は、前記取得した２次元画像ファイルから画像を読み出すとともに、前記３次元画像ファイルから先頭画像を読み出す第１の画像読出手段と、前記取得した画像ファイルが３次元画像ファイルと判別されると、該３次元画像ファイルから前記先頭画像以外の画像、又は先頭画像を含む全ての画像を読み出す第２の画像読出手段とを有し、前記第１の画像読出手段により読み出された画像に基づいて２次元表示用の第１の指向性画像を生成し、前記取得した画像ファイルが３次元画像ファイルと判別されると、前記第１の画像読出手段により読み出された先頭画像と前記第２の画像読出手段により読み出された先頭画像以外の画像、又は前記第２の画像読出手段により読み出された全ての画像に基づいて３次元表示用の第２の指向性画像を生成し、
前記表示制御手段は、前記生成された第１の指向性画像に基づいて２次元画像を前記３次元画像表示手段に表示させ、前記第２の指向性画像が生成されると、前記２次元画像の表示から所定時間経過後、前記第２の指向性画像に基づいて３次元画像を前記３次元画像表示手段に表示させることを特徴とする請求項１から７のいずれかに記載の３次元画像表示装置。
【請求項９】
左右方向に異なる指向性をもった２以上の指向性画像を同時に表示可能な３次元画像表示手段に２次元画像又は３次元画像を表示させる３次元画像表示方法において、
２次元画像が記録された２次元画像ファイルと複数の視点から同一被写体を撮影した複数の画像からなる３次元画像が記録された３次元画像ファイルとが混在して記録された記録メディアから再生用の画像ファイルを取得する工程と、
前記取得した画像ファイルが２次元画像ファイルか３次元画像ファイルかを判別する工程と、
前記取得した画像ファイルが２次元画像ファイルと判別されると、該２次元画像ファイル内の画像に基づいて同時に表示させる２次元表示用の指向性画像を含む複数の第１の指向性画像を生成し、３次元画像ファイルと判別されると、該３次元画像ファイル内の画像に基づいて同時に表示させる視差をもった３次元表示用の指向性画像を含む複数の第２の指向性画像を生成する工程と、
前記生成された第１の指向性画像又は第２の指向性画像に基づいて前記３次元画像表示手段に２次元画像又は３次元画像を表示させる工程と、を含み、
前記表示用画像を生成する工程は、前記第１の指向性画像及び第２の指向性画像のうちの少なくとも一方の指向性画像を、前記３次元画像表示手段が正面から視認される画像と左右方向から視認される画像とが異なる画像になるように生成することを特徴とする３次元画像表示方法。
【請求項１０】
前記生成される第１の指向性画像又は第２の指向性画像は、前記３次元画像表示手段が正面から視認される場合には、それぞれ２次元画像又は３次元画像として視認される第１の画像を含むことを特徴とする請求項９に記載の３次元画像表示方法。
【請求項１１】
前記生成される第１の指向性画像又は第２の指向性画像は、前記３次元画像表示手段が左右方向から視認される場合には、前記第１の画像とは異なる画像として視認される第２の画像を含むことを特徴とする請求項１０に記載の３次元画像表示方法。
【請求項１２】
前記生成される第１の指向性画像又は第２の指向性画像に含まれる前記第２の画像は、前記２次元画像ファイル又は３次元画像ファイルに画像とともに記録された付属情報を表示するための画像であることを特徴とする請求項１１に記載の３次元画像表示方法。
【請求項１３】
前記生成される第２の指向性画像に含まれる前記第２の画像は、前記３次元画像表示手段が正面から視認される３次元画像とは前記３次元画像表示手段上の左右方向の表示位置が異なる別の３次元画像であることを特徴とする請求項１１に記載の３次元画像表示方法。
【請求項１４】
前記判別する工程は、前記画像ファイルの拡張子又は該画像ファイルに格納された付属情報に基づいて該画像ファイルが２次元画像ファイルか３次元画像ファイルかを判別することを特徴とする請求項９から１３のいずれかに記載の３次元画像表示方法。
【請求項１５】
前記表示用画像を生成する工程は、前記取得された複数の画像ファイルに基づいて複数の縮小画像を生成するとともに、該複数の縮小画像がマトリクス状に配列された１画面分のマルチ画像を生成する工程を含み、前記マルチ画像を構成する各縮小画像を、各縮小画像に対応する画像ファイルが２次元画像ファイルか３次元画像ファイルかに応じて前記第１の指向性画像又は第２の指向性画像として生成することを特徴とする請求項９から１４のいずれかに記載の３次元画像表示方法。
【請求項１６】
前記３次元画像ファイルは、先頭画像に続いて１ないし複数の画像が連続して格納されたマルチピクチャファイルであり、
前記表示用画像を生成する工程は、前記取得した２次元画像ファイルから画像を読み出すとともに、前記３次元画像ファイルから先頭画像を読み出す第１の画像読出工程と、前記取得した画像ファイルが３次元画像ファイルと判別されると、該３次元画像ファイルから前記先頭画像以外の画像、又は先頭画像を含む全ての画像を読み出す第２の画像読出工程とを含み、前記第１の画像読出工程により読み出された画像に基づいて２次元表示用の第１の指向性画像を生成し、前記取得した画像ファイルが３次元画像ファイルと判別されると、前記第１の画像読出工程により読み出された先頭画像と前記第２の画像読出工程により読み出された先頭画像以外の画像、又は前記第２の画像読出工程により読み出された全ての画像に基づいて３次元表示用の第２の指向性画像を生成し、
前記２次元画像又は３次元画像を表示させる工程は、前記生成された第１の指向性画像に基づいて２次元画像を前記３次元画像表示手段に表示させ、前記第２の指向性画像が生成されると、前記２次元画像の表示から所定時間経過後、前記第２の指向性画像に基づいて３次元画像を前記３次元画像表示手段に表示させることを特徴とする請求項９から１５のいずれかに記載の３次元画像表示方法。
【発明の詳細な説明】
【技術分野】
【０００１】
本発明は３次元画像表示装置及び方法に係り、特に２次元画像と３次元画像とが混在して記録された記録メディアから所望の画像を読み出して再生する３次元画像表示装置及び方法に関する。
【背景技術】
【０００２】
２次元画像（２Ｄ画像）と３次元画像（３Ｄ画像）の撮影機能を持つデジタルカメラは、１つの記録メディアに２Ｄ画像と３Ｄ画像とを混在した状態で記録する。この種のデジタルカメラで画像が記録された記録メディアには、２Ｄ画像と３Ｄ画像とが混在して記録されるため、この記録メディアの画像を３Ｄ画像表示装置により、例えば、ファイル名順（撮影日時順）に順次再生すると、２Ｄ画像と３Ｄ画像とが混在して再生されることになる。
【０００３】
２Ｄ画像と３Ｄ画像が混在する複数の画像を順次再生して所望の画像を探す場合、再生された画像からその画像が２Ｄ画像か３Ｄ画像かを直感的に認識できない場合がある。例えば、視差が小さいシーンの３Ｄ画像は立体感が乏しく、また、表示される画像サイズが小さいインデックス表示用のマルチ画像上では２Ｄ画像と３Ｄ画像との見分けが難しいという問題がある。
【０００４】
従来、上記問題を解決するために表示される画像が、２Ｄ画像か３Ｄ画像かの判別を容易にするために、画像の次元に関する属性情報（例えば、「２Ｄ」、「３Ｄ」）を画像上に重畳して表示する電子機器が提案されている（特許文献１）。
【０００５】
しかしながら、画像上に属性情報が重畳して表示されると、画像の視認性を損ない、特に３Ｄ画像上に属性情報が表示されていると、両眼融合させて立体視する際の邪魔になり、立体視しにくくなるという問題がある。
【０００６】
一方、画像の視認性の低下を抑制するために、２種類の画像をそれぞれ異なる方向から視認可能にしたデジタルカメラや携帯型電子機器が提案されている（特許文献２、３）。
【０００７】
上記デジタルカメラ等は、カメラ背面に該カメラを前後方向に傾けることで、それぞれ異なる方向から２種類の画像が視認可能な表示部を有し、一方の画像としてスルー画（ライブビュー画像）を表示させ、他方の画像として撮影可能枚数、シャッタースピード、絞り値等のカメラ情報を表す画像を表示させるようにしている。
【先行技術文献】
【特許文献】
【０００８】
【特許文献１】特開２００４−１２０１６５号公報
【特許文献２】特開２００７−１８４７３４号公報
【特許文献３】特開２００７−２６４３４８号公報
【発明の概要】
【発明が解決しようとする課題】
【０００９】
特許文献２、３に記載のデジタルカメラ等の背面に設けられている表示部は、カメラを前後方向に傾けることで、それぞれ異なる方向から２種類の画像が視認可能な専用の表示部であるが、前後方向に異なる指向性をもった２種類の画像（指向性画像）を表示するため、３Ｄ画像の表示には使用することができず、また、特許文献２、３には、３Ｄ画像の表示に関する記載は一切ない。
【００１０】
本発明はこのような事情に鑑みてなされたもので、２次元画像と３次元画像とが混在する画像を再生する際に、現在表示されている画像が２次元画像か３次元画像かを直感的に識別することできるとともに、元の画像の視認性を損なわないようにすることができる３次元画像表示装置及び方法を提供することを目的とする。
【課題を解決するための手段】
【００１１】
前記目的を達成するために請求項１に係る３次元画像表示装置は、左右方向に異なる指向性をもった２以上の指向性画像を同時に表示可能な３次元画像表示手段と、２次元画像が記録された２次元画像ファイルと複数の視点から同一被写体を撮影した複数の画像からなる３次元画像が記録された３次元画像ファイルとが混在して記録された記録メディアから再生用の画像ファイルを取得する画像取得手段と、前記画像取得手段が取得した画像ファイルが２次元画像ファイルか３次元画像ファイルかを判別する判別手段と、前記判別手段により前記取得した画像ファイルが２次元画像ファイルと判別されると、該２次元画像ファイル内の画像に基づいて同時に表示させる２次元表示用の指向性画像を含む複数の第１の指向性画像を生成し、３次元画像ファイルと判別されると、該３次元画像ファイル内の画像に基づいて同時に表示させる視差をもった３次元表示用の指向性画像を含む複数の第２の指向性画像を生成する表示用画像生成手段と、前記表示用画像生成手段により生成された第１の指向性画像又は第２の指向性画像に基づいて前記３次元画像表示手段に２次元画像又は３次元画像を表示させる表示制御手段と、を備え、前記表示用画像生成手段は、前記第１の指向性画像及び第２の指向性画像のうちの少なくとも一方の指向性画像を、前記３次元画像表示手段が正面から視認される画像と左右方向から視認される画像とが異なる画像になるように生成することを特徴としている。
【００１２】
即ち、前記記録メディアから再生用の画像ファイルを取得すると、その取得した画像ファイルが２次元画像ファイルか３次元画像ファイルかの判別を行う。取得した画像ファイルが２次元画像ファイルと判別されると、該２次元画像ファイル内の画像に基づいて同時に表示させる２次元表示用の指向性画像を含む複数の第１の指向性画像を生成し、３次元画像ファイルと判別されると、該３次元画像ファイル内の画像に基づいて同時に表示させる視差をもった３次元表示用の指向性画像を含む複数の第２の指向性画像を生成する。ここで、前記生成される第１の指向性画像及び第２の指向性画像のうちの少なくとも一方の指向性画像は、該指向性画像に基づいて２次元画像又は３次元画像を表示する３次元画像表示手段を正面から見たときの画像と左右方向から見たときの画像とが異なる画像になるように生成されている。これにより、前記３次元画像表示手段を視認するときの左右方向の角度を変えることで、現在表示されている画像が２次元画像か３次元画像かを直感的に識別することできる。
【００１３】
尚、前記３次元画像表示手段は、もともと左右方向に異なる指向性をもった２以上の指向性画像を同時に表示することができるものであるため、前記第１の指向性画像又は第２の指向性画像を上記のように生成するだけで、２次元画像か３次元画像かを直感的に識別可能な表示を行わせることができる。
【００１４】
請求項２に示すように請求項１に記載の３次元画像表示装置において、前記表示用画像生成手段により生成される第１の指向性画像又は第２の指向性画像は、前記３次元画像表示手段が正面から視認される場合には、それぞれ２次元画像又は３次元画像として視認される第１の画像を含むことを特徴としている。これにより、前記３次元画像表示手段を正面から見る場合には、通常の２次元画像又は３次元画像として表示させることができ、画像の視認性が損なわれることはない。
【００１５】
請求項３に示すように請求項２に記載の３次元画像表示装置において、前記表示用画像生成手段により生成される第１の指向性画像又は第２の指向性画像は、前記３次元画像表示手段が左右方向から視認される場合には、前記第１の画像とは異なる画像として視認される第２の画像を含むことを特徴としている。
【００１６】
即ち、前記３次元画像表示手段を左右方向から見る場合には、該３次元画像表示手段を正面から見る場合に視認される第１の画像（通常の２次元画像又は３次元画像）とは異なる第２の画像が視認できるようにし、この第１の画像から第２の画像へ変化により、現在表示されている画像が２次元画像か３次元画像かを直感的に識別することできるようにしている。
【００１７】
請求項４に示すように請求項３に記載の３次元画像表示装置において、前記表示用画像生成手段により生成される第１の指向性画像又は第２の指向性画像に含まれる前記第２の画像は、前記２次元画像ファイル又は３次元画像ファイルに画像とともに記録された付属情報を表示するための画像であることを特徴としている。これにより、２次元画像か３次元画像かを直感的に識別できるとともに、２次元画像又は３次元画像の付属情報も容易に確認することができる。
【００１８】
請求項５に示すように請求項３に記載の３次元画像表示装置において、前記表示用画像生成手段により生成される第２の指向性画像に含まれる前記第２の画像は、前記３次元画像表示手段が正面から視認される３次元画像とは前記３次元画像表示手段上の左右方向の表示位置が異なる別の３次元画像であることを特徴としている。前記３次元画像表示手段を見る方向を変えると、表示されている３次元画像が左右方向に移動するため、現在表示されている画像が２次元画像か３次元画像かを直感的に識別することができる。
【００１９】
請求項６に示すように請求項１から５のいずれかに記載の３次元画像表示装置において、前記判別手段は、前記画像ファイルの拡張子又は該画像ファイルに格納された付属情報に基づいて該画像ファイルが２次元画像ファイルか３次元画像ファイルかを判別することを特徴としている。
【００２０】
請求項７に示すように請求項１から６のいずれかに記載の３次元画像表示装置において、前記表示用画像生成手段は、前記画像取得手段により取得された複数の画像ファイルに基づいて複数の縮小画像を生成するとともに、該複数の縮小画像がマトリクス状に配列された１画面分のマルチ画像を生成するマルチ画像生成手段を含み、前記マルチ画像を構成する各縮小画像を、各縮小画像に対応する画像ファイルが２次元画像ファイルか３次元画像ファイルかに応じて前記第１の指向性画像又は第２の指向性画像として生成することを特徴としている。
【００２１】
これによれば、２次元画像の縮小画像と３次元画像の縮小画像とが混在するマルチ画像を表示させることができる。特に、マルチ画像を構成する各縮小画像は小さいため、２次元画像か３次元画像かの識別が困難な場合があるが、前記３次元画像表示手段を見る方向を変えることで、マルチ画像中の各縮小画像が２次元画像か３次元画像かを直感的に識別することができる。
【００２２】
請求項８に示すように請求項１から７のいずれかに記載の３次元画像表示装置において、前記３次元画像ファイルは、先頭画像に続いて１ないし複数の画像が連続して格納されたマルチピクチャファイルであり、前記表示用画像生成手段は、前記取得した２次元画像ファイルから画像を読み出すとともに、前記３次元画像ファイルから先頭画像を読み出す第１の画像読出手段と、前記取得した画像ファイルが３次元画像ファイルと判別されると、該３次元画像ファイルから前記先頭画像以外の画像、又は先頭画像を含む全ての画像を読み出す第２の画像読出手段とを有し、前記第１の画像読出手段により読み出された画像に基づいて２次元表示用の第１の指向性画像を生成し、前記取得した画像ファイルが３次元画像ファイルと判別されると、前記第１の画像読出手段により読み出された先頭画像と前記第２の画像読出手段により読み出された先頭画像以外の画像、又は前記第２の画像読出手段により読み出された全ての画像に基づいて３次元表示用の第２の指向性画像を生成し、前記表示制御手段は、前記生成された第１の指向性画像に基づいて２次元画像を前記３次元画像表示手段に表示させ、前記第２の指向性画像が生成されると、前記２次元画像の表示から所定時間経過後、前記第２の指向性画像に基づいて３次元画像を前記３次元画像表示手段に表示させることを特徴としている。
【００２３】
前記第１の画像読出手段は、取得した画像ファイルが２次元画像ファイルか３次元画像ファイルかにかかわらず１つの画像を読み出す。尚、３次元画像ファイルの場合には、先頭画像を読み出す。そして、前記第１の画像読出手段により読み出された画像に基づいて２次元表示用の第１の指向性画像を生成し、前記３次元画像表示手段に２次元画像を表示させる。この時点では、表示されている画像が、２次元画像ファイルに基づくものか３次元画像ファイルに基づくものかの識別はできない。前記第２の画像読出手段は、取得した画像ファイルが３次元画像ファイルと判別されると、該３次元画像ファイルから前記先頭画像以外の画像、又は先頭画像を含む全ての画像を読み出す。そして、３次元画像ファイルに記録された全ての画像に基づいて３次元表示用の第２の指向性画像を生成し、この第２の指向性画像に基づいて先に表示されている２次元画像に代えて、３次元画像を表示させるようにしている。即ち、読み出された画像ファイルが３次元画像ファイルの場合には、先に２次元画像（先頭画像）が表示され、所定時間経過後に３次元画像が表示される。この２次元画像から３次元画像への変化が視覚への刺激となり、直感的に２次元画像か３次元画像かの識別が可能となる。
【００２４】
請求項９に係る発明は、左右方向に異なる指向性をもった２以上の指向性画像を同時に表示可能な３次元画像表示手段に２次元画像又は３次元画像を表示させる３次元画像表示方法において、２次元画像が記録された２次元画像ファイルと複数の視点から同一被写体を撮影した複数の画像からなる３次元画像が記録された３次元画像ファイルとが混在して記録された記録メディアから再生用の画像ファイルを取得する工程と、前記取得した画像ファイルが２次元画像ファイルか３次元画像ファイルかを判別する工程と、前記取得した画像ファイルが２次元画像ファイルと判別されると、該２次元画像ファイル内の画像に基づいて同時に表示させる２次元表示用の指向性画像を含む複数の第１の指向性画像を生成し、３次元画像ファイルと判別されると、該３次元画像ファイル内の画像に基づいて同時に表示させる視差をもった３次元表示用の指向性画像を含む複数の第２の指向性画像を生成する工程と、前記生成された第１の指向性画像又は第２の指向性画像に基づいて前記３次元画像表示手段に２次元画像又は３次元画像を表示させる工程と、を含み、前記表示用画像を生成する工程は、前記第１の指向性画像及び第２の指向性画像のうちの少なくとも一方の指向性画像を、前記３次元画像表示手段が正面から視認される画像と左右方向から視認される画像とが異なる画像になるように生成することを特徴としている。
【００２５】
請求項１０に示すように請求項９に記載の３次元画像表示方法において、前記生成される第１の指向性画像又は第２の指向性画像は、前記３次元画像表示手段が正面から視認される場合には、それぞれ２次元画像又は３次元画像として視認される第１の画像を含むことを特徴としている。
【００２６】
請求項１１に示すように請求項１０に記載の３次元画像表示方法において、前記生成される第１の指向性画像又は第２の指向性画像は、前記３次元画像表示手段が左右方向から視認される場合には、前記第１の画像とは異なる画像として視認される第２の画像を含むことを特徴としている。
【００２７】
請求項１２に示すように請求項１１に記載の３次元画像表示方法において、前記生成される第１の指向性画像又は第２の指向性画像に含まれる前記第２の画像は、前記２次元画像ファイル又は３次元画像ファイルに画像とともに記録された付属情報を表示するための画像であることを特徴としている。
【００２８】
請求項１３に示すように請求項１１に記載の３次元画像表示方法において、前記生成される第２の指向性画像に含まれる前記第２の画像は、前記３次元画像表示手段が正面から視認される３次元画像とは前記３次元画像表示手段上の左右方向の表示位置が異なる別の３次元画像であることを特徴としている。
【００２９】
請求項１４に示すように請求項９から１３のいずれかに記載の３次元画像表示方法において、前記判別する工程は、前記画像ファイルの拡張子又は該画像ファイルに格納された付属情報に基づいて該画像ファイルが２次元画像ファイルか３次元画像ファイルかを判別することを特徴としている。
【００３０】
請求項１５に示すように請求項９から１４のいずれかに記載の３次元画像表示方法において、前記表示用画像を生成する工程は、前記取得された複数の画像ファイルに基づいて複数の縮小画像を生成するとともに、該複数の縮小画像がマトリクス状に配列された１画面分のマルチ画像を生成する工程を含み、前記マルチ画像を構成する各縮小画像を、各縮小画像に対応する画像ファイルが２次元画像ファイルか３次元画像ファイルかに応じて前記第１の指向性画像又は第２の指向性画像として生成することを特徴としている。
【００３１】
請求項１６に示すように請求項９から１５のいずれかに記載の３次元画像表示方法において、前記３次元画像ファイルは、先頭画像に続いて１ないし複数の画像が連続して格納されたマルチピクチャファイルであり、前記表示用画像を生成する工程は、前記取得した２次元画像ファイルから画像を読み出すとともに、前記３次元画像ファイルから先頭画像を読み出す第１の画像読出工程と、前記取得した画像ファイルが３次元画像ファイルと判別されると、該３次元画像ファイルから前記先頭画像以外の画像、又は先頭画像を含む全ての画像を読み出す第２の画像読出工程とを含み、前記第１の画像読出工程により読み出された画像に基づいて２次元表示用の第１の指向性画像を生成し、前記取得した画像ファイルが３次元画像ファイルと判別されると、前記第１の画像読出工程により読み出された先頭画像と前記第２の画像読出工程により読み出された先頭画像以外の画像、又は前記第２の画像読出工程により読み出された全ての画像に基づいて３次元表示用の第２の指向性画像を生成し、前記２次元画像又は３次元画像を表示させる工程は、前記生成された第１の指向性画像に基づいて２次元画像を前記３次元画像表示手段に表示させ、前記第２の指向性画像が生成されると、前記２次元画像の表示から所定時間経過後、前記第２の指向性画像に基づいて３次元画像を前記３次元画像表示手段に表示させることを特徴としている。
【発明の効果】
【００３２】
本発明によれば、２次元画像と３次元画像とが混在する画像を再生する際に、現在表示されている画像が２次元画像か３次元画像かを直感的に識別することできるとともに、元の画像の視認性を損なわないようにすることができる。これにより、２次元画像及び３次元画像を良好に鑑賞することができ、また、２次元画像と３次元画像とが混在する画像の中から所望の２次元画像、又は３次元画像を容易に見つけ出すことができるという効果がある。
【図面の簡単な説明】
【００３３】
【図１】図１は本発明の第１実施形態の３次元画像表示装置を示す外観図である。
【図２】図２は図１に示した３次元画像表示装置の内部構成を示すブロック図である。
【図３】図３は左右方向の異なる４方向から異なる画像が視認できる、図２に示した３次元液晶ディスプレイの原理を示す図である。
【図４】図４は画像ファイルが記録されるメモリカードのディレクトリ構造を示す図である。
【図５】図５はｎ視点の３Ｄ画像用の３Ｄ画像ファイルのデータ構造を示す図である。
【図６】図６は２視点の３Ｄ画像用の３Ｄ画像ファイルのデータ構造を示す図である。
【図７】図７は３次元画像表示装置の作用を示すフローチャートである。
【図８】図８は３次元画像表示装置の３次元液晶ディスプレイに表示される画像の一例を示す図である。
【図９】図９は３Ｄ画像表示装置の変形例の実施形態を示すフローチャートである。
【図１０】図１０は本発明の第２実施形態の３次元画像表示装置を備えたデジタルカメラの正面図である。
【図１１】図１１は本発明の第２実施形態の３次元画像表示装置を備えたデジタルカメラの背面図である。
【図１２】図１２は図１１に示したデジタルカメラの内部構成を示すブロック図である。
【図１３】図１３は図１１に示したデジタルカメラの背面図であり、正面から見た場合の背面図である。
【図１４】図１４は図１１に示したデジタルカメラの背面図であり、斜め右から見た場合の背面図である。
【図１５】図１５は図１１に示したデジタルカメラの背面図であり、斜め左から見た場合の背面図である。
【図１６】図１６は本発明の第３実施形態の３次元画像表示装置により表示される画像の一例を示す図である。
【図１７】図１７は本発明の第４実施形態の３次元画像表示装置により表示される第１表示情報の一例を示す図である。
【図１８】図１８は本発明の第４実施形態の３次元画像表示装置により表示される第２表示情報の一例を示す図である。
【発明を実施するための形態】
【００３４】
以下、添付図面に従って本発明に係る３次元画像表示装置及び方法の実施の形態について説明する。
【００３５】
［３次元画像表示装置の第１実施形態］
図１は本発明の第１実施形態の３次元画像表示装置を示す外観図である。
【００３６】
図１に示すように、この３次元画像表示装置（３Ｄ画像表示装置）１０は、カラーの３次元液晶ディスプレイ（以下、「３Ｄ ＬＣＤ」という）１２を搭載したデジタルフォトフレームであり、前面には電源スイッチ、コマ送りスイッチ、通常表示・スライドショー等を選択するスイッチを含む操作部１４が設けられ、側面にはメモリカードスロット１６が設けられている。
【００３７】
図２は上記３Ｄ画像表示装置１０の内部構成を示すブロック図である。
【００３８】
図２に示すように３Ｄ画像表示装置１０は、上記３Ｄ ＬＣＤ１２、操作部１４の他に、中央処理装置（ＣＰＵ）２０、ワークメモリ２２、カードインターフェース（カードＩ／Ｆ）２４、表示コントローラ２６、バッファメモリ２８、ＥＥＰＲＯＭ３０、及び電源部３２を備えている。
【００３９】
３Ｄ ＬＣＤ１２は、左右方向に異なる指向性をもった２以上の指向性画像を同時に表示可能なもので、この実施の形態では、レンチキュラレンズにより４方向（４つ）の指向性画像を同時に表示できるようになっている。
【００４０】
図３は左右方向の異なる４方向から異なる画像が視認できる、上記３Ｄ ＬＣＤ１２の原理を示す図である。
【００４１】
図３に示す３Ｄ ＬＣＤ１２は、画素１２Ａ上にレンチキュラレンズ１２Ｂが設けられており、それぞれ３画素おきに同じ指向性をもつ画素ｎ４ｉ−３、画素ｎ４ｉ−２、画素ｎ４ｉ−１、及び画素ｎ４ｉ（ｉ＝１、２、３、…）毎の画素群により、左右方向に指向性をもった４つの指向性画像を表示させることができるようになっている。
【００４２】
即ち、画素ｎ４ｉ−３の画素群は、レンチキュラレンズ１２Ｂにより視点Ｐ１の方向の指向性画像を表示させることができ、同様に画素ｎ４ｉ−２、画素ｎ４ｉ−１、及び画素ｎ４ｉの画素群は、それぞれレンチキュラレンズ１２Ｂにより視点Ｐ２、視点Ｐ３、及び視点Ｐ４の方向の指向性画像を表示させることができるようになっている。
【００４３】
ここで、３Ｄ ＬＣＤ１２を正面から見る場合（左右の目の位置が視点Ｐ２、Ｐ３にある場合）には、画素ｎ４ｉ−２、画素ｎ４ｉ−１の画素群からの２つの画像をそれぞれ見ることができ、同様に３Ｄ ＬＣＤ１２を右から見る場合（左右の目の位置が視点Ｐ１、Ｐ２にある場合）には、画素ｎ４ｉ−３、画素ｎ４ｉ−２の画素群からの２つの画像をそれぞれ見ることができ、３Ｄ ＬＣＤ１２を左から見る場合（左右の目の位置が視点Ｐ３、Ｐ４にある場合）には、画素ｎ４ｉ−１、画素ｎ４ｉの画素群からの２つの画像をそれぞれ見ることができる。
【００４４】
従って、各視点Ｐ１〜Ｐ４に対応する４つの指向性画像として、同じ画像を表示させると、どの位置からも同じ画像を視認することができ、視差をもった４視点の視差画像を表示させると、視点位置ごとに異なる視差画像を視認（立体視）することができる。
【００４５】
ＣＰＵ２０は、操作部１４からの入力に基づき所定の制御プログラムに従って３Ｄ画像表示装置１０全体の動作を統括制御する制御手段として機能する。尚、ＣＰＵ２０による制御内容については後述する。
【００４６】
ワークメモリ２２は、ＣＰＵ２０の演算作業用領域及び画像データの一時記憶領域を含んでいる。
【００４７】
カードＩ／Ｆ２４は、デジタルカメラの記録メディアであるメモリカード３４がメモリカードスロット１６に装着されると、メモリカード３４と電気的に接続され、メモリカード３４との間でデータ（画像データ）の送受信を行うための装置である。
【００４８】
表示コントローラ２６は、表示用の画像データ専用の一時記憶領域であるバッファメモリ２８から２Ｄ表示用の画像データ、３Ｄ表示用の画像データ等を繰り返し読み出し、３Ｄ ＬＣＤ１２での２Ｄ表示用、３Ｄ表示用の信号に変換して３Ｄ ＬＣＤ１２に出力する。これにより、３Ｄ ＬＣＤ１２に２Ｄ画像、３Ｄ画像を表示させる。
【００４９】
電源部３２は、図示しないバッテリ又は商用電源からの電力を制御して、３Ｄ画像表示装置１０各部に動作電力を供給する。
【００５０】
尚、操作部１４としては、赤外リモコン装置を使用し、該赤外リモコン装置から３Ｄ画像表示装置１０の図示しない赤外受信部に操作用の赤外リモコン信号を送信するものも含む。
【００５１】
＜メモリカードのディレクトリ構造＞
図４は３Ｄ画像表示装置１０に装着されるメモリカード３４のディレクトリ構造の一例を示す。
【００５２】
図４に示すように、イメージルートディレクトリDCIM(Digital Camera IMages) の直下の階層のフォルダ(100_PICT)に、２Ｄ画像又は３Ｄ画像の画像ファイルが配置されている。
【００５３】
各画像ファイルには、所定の命名規則に基づいてファイル名が付けられており、この実施の形態では、アルファベットの４文字（自由文字）＋４桁のファイル番号によりファイル名が付けられている。ファイル番号は、画像ファイルの作成順に、最大番号＋１の連番が自動的に付されている。
【００５４】
また、２Ｄ画像と３Ｄ画像とでは、画像ファイルの拡張子が異なっており、この実施の形態では、２Ｄ画像の画像ファイルの拡張子は、JPEG画像を表す「JPG」、３Ｄ画像の画像ファイルの拡張子は、複数のJPEG画像をつなぎ合わせて作成された１つのマルチピクチャファイルを表す「MPO」としている。
【００５５】
尚、マルチピクチャファイルには、３Ｄ画像（立体視）用の他に、パノラマ画像やマルチアングル画像用のものがある。
【００５６】
図５はマルチピクチャファイル（３Ｄ画像ファイル）のデータ構造の一例を示す図である。
【００５７】
図５に示すように３Ｄ画像ファイルＦは、Exif規格のファイルフォーマットを利用し、複数の画像を一体化して記録するファイル形式を採っており、個別画像(1)（先頭画像）Ａ１、個別画像(2)Ａ２，個別画像(2)Ａ２、…、個別画像(n)Ａｎが連結されて構成されている。
【００５８】
各個別画像の領域は、各個別画像の開始位置を示すＳＯＩ（Start of Image）と終了位置を示すＥＯＩ（End of Image）とにより区分されており、ＳＯＩの次に個別画像のExif付属情報が記録されるAPP1マーカセグメントと、多視点付属情報が記録されるAPP2マーカセグメントが設けられ、その次に視点画像（個別画像）が記録される。
【００５９】
尚、APP1マーカセグメントには、Ｅｘｉｆ識別情報、ＴＩＦＦヘッダ、ＩＦＤ（Image file directory）領域（ＩＦＤ０領域（0th IFD）及びＩＦＤ１領域（1st IFD））が設けられている。ＩＦＤ１領域（1st IFD）には、個別画像から生成されたサムネイル画像が格納される。また、APP2マーカセグメントには、個別情報ＩＦＤが含まれる。
【００６０】
個別情報ＩＦＤには、個別画像の種別（３Ｄ、パノラマ、マルチアングル）、個別画像の枚数、個別画像番号、輻輳角、基線長等が含まれる。
【００６１】
図６は２視点の画像（左画像と右画像）が格納されたマルチピクチャファイルのデータ構造の一例を示す図である。この実施形態のマルチピクチャファイルは、左画像を視点画像(1)（先頭画像）として格納し、右画像を視点画像(2)として格納している。
【００６２】
＜３Ｄ画像表示装置１０の作用＞
次に、上記３Ｄ画像表示装置１０の作用を、図７に示すフローチャートを参照しながら説明する。
【００６３】
図７において、３次元画像表示装置１０の操作部１４の電源スイッチがオンされ、再生モードとして静止画を１コマずつ再生する通常再生が設定されている場合には、ＣＰＵ２０は、メモリカードスロット１６に装着されているメモリカード３４からカードＩ／Ｆ２４を介して最初の１コマ（ファイル番号が最小の１コマ）の画像ファイルを読み出すとともに、取得した画像ファイルのファイル名から拡張子を取得する（ステップＳ１０）。尚、メモリカード３４には、２Ｄ画像ファイルと３Ｄ画像ファイルとが混在して記録されている。
【００６４】
ＣＰＵ２０は、前記取得したファイル名の拡張子に基づいて前記読み出した画像ファイルが２Ｄ画像ファイルか３Ｄ画像ファイルかを判別する（ステップＳ１２）。即ち、拡張子が「JPG」の場合には、は２Ｄ画像ファイルと判別し、拡張子が「MPO」の場合には、マルチピクチャファイル（「ＭＰファイル」）と判別する。
【００６５】
ステップＳ１２において、２Ｄ画像ファイルと判別されると（「JPG」の場合）、ＣＰＵ２０は、その２Ｄ画像ファイルに格納された画像（本画像）を読み出し（ステップＳ１４）、３Ｄ ＬＣＤ１２に表示するための表示情報（２Ｄ表示用画像等）を生成する（ステップＳ１６）。
【００６６】
ＣＰＵ２０は、生成された２Ｄ表示用画像をバッファメモリ２８に一時記憶させ、表示コントローラ２６は、バッファメモリ２８から２Ｄ表示用画像を読み出し、３Ｄ ＬＣＤ１２に出力する。これにより、３Ｄ ＬＣＤ１２に２Ｄ画像を表示させる（ステップＳ１８）。
【００６７】
一方、ステップＳ１２において、ＭＰファイルと判別されると（「MPO」の場合）、ＣＰＵ２０は、そのＭＰファイルに格納された先頭画像（例えば、図６に示した視点画像(1)）を読み出し（ステップＳ２０）、続いて、ＭＰファイルに格納されている画像の種別を判別する（ステップＳ２２）。前述したように、ＭＰファイルの個別情報ＩＦＤには、個別画像の種別（３Ｄ、パノラマ、マルチアングル等）が格納されているため、この種別情報から３Ｄ画像か、パノラマ画像又はマルチアングル画像（２Ｄ画像）かを識別し、２Ｄ画像の場合にはステップＳ１６に遷移させ、３Ｄ画像の場合にはステップＳ２２に遷移させる。
【００６８】
ステップＳ２４では、ステップＳ２０で取得した先頭画像（この実施形態では、「左画像」）に基づいて該左画像を３Ｄ ＬＣＤ１２に表示するための第１表示情報（２Ｄ表示用画像）を生成する。ＣＰＵ２０は、生成された２Ｄ表示用画像をバッファメモリ２８に一時記憶させ、表示コントローラ２６は、バッファメモリ２８から２Ｄ表示用画像を読み出し、３Ｄ ＬＣＤ１２に出力する。これにより、３Ｄ ＬＣＤ１２に２Ｄ画像（左画像）を表示させる（ステップＳ２６）。
【００６９】
続いて、ＣＰＵ２０は、３Ｄ画像ファイルから残りの個別画像（この実施形態では、「右画像」）を読み出し、読み出した左画像及び右画像（例えば、図６に示した視点画像(1)と視点画像(2)）に基づいて、３Ｄ ＬＣＤ１２に表示するための第２表示情報（３Ｄ表示用画像等）を生成する（ステップＳ３０）。
【００７０】
次に、ＣＰＵ２０は、ステップＳ２６で２Ｄ画像（左画像）を表示してから所定時間経過したか否かを判別し（ステップＳ３２）、所定時間経過したと判別すると（（「Ｙｅｓ」の場合）、現在表示されている２Ｄ画像（左画像）に代えて、ステップＳ３０で生成した第２表示情報（３Ｄ表示用画像）に基づいて３Ｄ画像を表示させる（ステップＳ３４）。
【００７１】
上記のように読み出された画像ファイルが３Ｄ画像ファイルの場合には、最初に２Ｄ画像（左画像）が表示され、所定時間後に３Ｄ画像が表示される。この２Ｄ画像から３Ｄ画像への変化が視覚への刺激となり、３Ｄ ＬＣＤ１２に現在表示されている画像が２Ｄ画像か３Ｄ画像かを直感的に識別することができる。
【００７２】
尚、読み出された画像ファイルが２Ｄ画像ファイル、又は３Ｄ画像ファイルでないＭＰファイルの場合には、上記のような２Ｄ画像から３Ｄ画像への変化はない。
【００７３】
また、前記所定時間としては、２Ｄ画像から３Ｄ画像への変化が確認できる時間のうちの最短時間（例えば、０．５秒程度）が好ましい。所定時間が短すぎると、変化が確認できず、長すぎると、３Ｄ画像の鑑賞が遅れるからである。
【００７４】
次に、ステップＳ１６及びステップＳ３０で生成される表示情報及び第２表示情報について詳述する。
【００７５】
ステップＳ１６では、前述したように表示情報として、２Ｄ画像（第１の画像）を生成するが、更に２Ｄ画像ファイル（又は３Ｄ画像ファイル以外のＭＰファイル）に格納されている付属情報に基づいてその付属情報を示す画像（第２の画像）を生成する。
【００７６】
そして、図３を用いて説明したように、３Ｄ ＬＣＤ１２に表示させる４つの指向性画像として、２Ｄ画像（第１の画像）、及び２Ｄ画像の付属情報を示す画像（第２の画像）を適宜割り当て３Ｄ ＬＣＤ１２に表示させる。
【００７７】
例えば、３Ｄ ＬＣＤ１２を正面から見る場合（左右の目の位置が視点Ｐ２、Ｐ３にある場合（図３参照））、及び右から見る場合（左右の目の位置が視点Ｐ１、Ｐ２にある場合）に、左右の目でそれぞれ同じ２Ｄ画像（第１の画像）が視認できるように、３Ｄ ＬＣＤ１２の対応する画素ｎ４ｉ−３、画素ｎ４ｉ−２、画素ｎ４ｉ−１の画素群に２Ｄ画像（第１の画像）を表示させ、３Ｄ ＬＣＤ１２を左から見る場合（左右の目の位置が視点Ｐ３、Ｐ４にある場合）に、視点Ｐ４から２Ｄ画像の付属情報を示す画像（第２の画像）が視認できるように、付属情報を示す画像（第２の画像）を３Ｄ ＬＣＤ１２の対応する画素ｎ４ｉの画素群に表示させる。
【００７８】
同様に、ステップＳ３０では、第２表示情報として、３Ｄ表示用画像（左画像及び右画像（第１の画像））を生成するが、更に３Ｄ画像ファイルに格納されている付属情報に基づいてその付属情報を示す画像（第２の画像）を生成する。
【００７９】
そして、３Ｄ ＬＣＤ１２に表示させる４つの指向性画像として、３Ｄ表示用画像（第１の画像）、及び３Ｄ画像の付属情報を示す画像（第２の画像）を適宜割り当て３Ｄ ＬＣＤ１２に表示させる。
【００８０】
例えば、３Ｄ ＬＣＤ１２を正面から見る場合（左右の目の位置が視点Ｐ２、Ｐ３にある場合（図３参照））に、左右の目でそれぞれ左画像、右画像（第１の画像）が視認できるように、３Ｄ ＬＣＤ１２の対応する画素ｎ４ｉ−２、画素ｎ４ｉ−１の画素群に３Ｄ画像（第１の画像）を表示させ、３Ｄ ＬＣＤ１２を右から見る場合（左右の目の位置が視点Ｐ１、Ｐ２にある場合）に、視点Ｐ１から３Ｄ画像の付属情報を示す画像（第２の画像）が視認できるように、付属情報を示す画像（第２の画像）を３Ｄ ＬＣＤ１２の対応する画素ｎ４ｉ−３の画素群に表示させる。また、３Ｄ ＬＣＤ１２を左から見る場合（左右の目の位置が視点Ｐ3、Ｐ4にある場合）に、左右の目でそれぞれ同じ左画像が視認できるように、３Ｄ ＬＣＤ１２の対応する画素ｎ４ｉ−３、画素ｎ４ｉ−２の画素群に左画像を表示させる。
【００８１】
下記の記の［表１］は、上記３Ｄ ＬＣＤ１２で表示される画像を纏めたもので、読み出された画像ファイルが２Ｄ画像ファイルか３Ｄ画像ファイルに応じて、各視点Ｐ１〜Ｐ４から視認できる画像を示している。
【００８２】
【表１】
2011109268.tif 000003
【００８３】
図８は３Ｄ画像表示装置１０の３Ｄ ＬＣＤ１２に表示される画像の一例を示す図であり、図８（Ａ）及び（Ｂ）はそれぞれ３Ｄ画像ファイルの画像が再生されている場合に、３Ｄ ＬＣＤ１２を正面から見た場合と左から見た場合に関して示しており、図８（Ｃ）は２Ｄ画像ファイルの画像が再生されている場合に、３Ｄ ＬＣＤ１２を左から見た場合に関して示している。
【００８４】
尚、図８（Ｂ）及び（Ｃ）には、それぞれ３Ｄ画像の付属情報、及び２Ｄ画像の付属情報のみが図示されているが、画像も同時に表示されている。
【００８５】
下記の［表２］は、再生される画像ファイルの種類（２Ｄ画像ファイル、３Ｄ画像ファイル）、及び３Ｄ ＬＣＤ１２の見る方向に応じて視認できる画像を示す表である。
【００８６】
【表２】
2011109268.tif 000004
【００８７】
尚、３Ｄ画像ファイルの場合、表示開始から所定時間が経過するまでは第１表示情報に基づいて２Ｄ画像（左画像）を表示するが、前記［表１］に示すように各視点Ｐ１〜Ｐ４からは同じ左画像のみが視認できるようになっている。
【００８８】
上記のように３Ｄ ＬＣＤ１２を正面から見ると、再生される画像ファイルが２Ｄ画像ファイル又は３Ｄ画像ファイルに応じて２Ｄ画像又は３Ｄ画像が視認可能に表示される。この場合、２Ｄ画像又は３Ｄ画像以外の情報（例えば、付属情報等）は視認されないため、２Ｄ画像又は３Ｄ画像を良好に鑑賞することができる。
【００８９】
一方、３Ｄ ＬＣＤ１２を右から見ると、３Ｄ画像ファイルが再生されている場合のみ３Ｄ画像の付属情報を視認することができ、また、３Ｄ ＬＣＤ１２を左から見ると、２Ｄ画像ファイルが再生されている場合のみ２Ｄ画像の付属情報を視認することができる。これにより、現在再生されている画像が２Ｄ画像ファイルのものか、３Ｄ画像ファイルのものかを直感的に識別することできるとともに、２Ｄ画像又は３Ｄ画像の付属情報を確認することができる。
【００９０】
＜３Ｄ画像表示装置１０の変形例＞
図９は３Ｄ画像表示装置１０の変形例の実施形態を示すフローチャートである。尚、図７に示したフローチャートと共通する部分には同一の符号を付し、その詳細な説明は省略する。
【００９１】
この変形例の実施形態では、主としてＭＰファイルとして３Ｄ画像ファイルの他に、パノラマ画像ファイルも識別し、パノラマ画像ファイルを識別した場合には、第２表示情報としてパノラマ画像を生成するとともに、パノラマ画像を表示する点で、図９に示した実施形態と相違する。
【００９２】
図９のフローチャートにおいて、ステップＳ２２’では、ＭＰファイルに格納されている個別画像の種別情報に基づいてＭＰファイルに格納されている画像種別が、３Ｄ画像、パノラマ画像、その他のマルチアングル等の画像のうちの３Ｄ画像又はパノラマ画像か、それ以外の画像かを判別する。判別された画像種別が３Ｄ画像又はパノラマ画像の場合（（「Ｙｅｓ」の場合）には、ステップＳ２４に遷移する。
【００９３】
また、ステップＳ２８の処理後、ステップＳ４０により画像種別が３Ｄ画像か否かを判別する。３Ｄ画像と判別された場合（「Ｙｅｓ」の場合）には、ステップＳ３０に遷移し、３Ｄ画像でない（パノラマ画像）と判別された場合（「Ｎｏ」の場合）には、ステップＳ４２に遷移する。
【００９４】
ステップＳ４２は、ＭＰファイル（パノラマ画像ファイル）の全ての画像に基づいて各画像を合成した第２表示情報（パノラマ画像）を生成する。尚、パノラマ画像は、通常の２Ｄ画像や３Ｄ画像とはアスペクト比が異なるため、これらの画像との識別は容易に行うことができる。従って、３Ｄ ＬＣＤ１２に表示される４つの指向性画像は、同じパノラマ画像（２Ｄ画像）とする。
【００９５】
［３次元画像表示装置の第２実施形態］
図１０及び図１１はそれぞれ本発明の第２実施形態の３次元画像表示装置を備えたデジタルカメラの正面図及び背面図である。
【００９６】
これらの図面に示すように、このデジタルカメラ１００は、正面（前面）に左右一対の撮影レンズ１６０Ｌ，１６０Ｒが設けられ、背面には３Ｄ ＬＣＤ１５０、及び操作部１１６が設けられている。
【００９７】
図１２は上記デジタルカメラ１００の内部構成を示すブロック図である。
【００９８】
図１２に示すように、デジタルカメラ１００は、２つの撮影部１１２Ｒ及び１１２Ｌを備えた複眼カメラであり、複数の撮影部１１２Ｒ及び１１２Ｌによって撮影した複数の画像からなる３Ｄ画像を１つの３Ｄ表示用の３Ｄ画像ファイルとして記録することができる。
【００９９】
メインＣＰＵ１１４（以下、「ＣＰＵ１１４」という）は、操作部１１６からの入力に基づき所定の制御プログラムに従ってデジタルカメラ１００全体の動作を統括制御する。
【０１００】
ＣＰＵ１１４には、システムバス１２２を介してＲＯＭ１２４、ＥＥＰＲＯＭ１２６及びワークメモリ１２８が接続されている。ＲＯＭ１２４には、ＣＰＵ１１４が実行する制御プログラム及び制御に必要な各種データ等が格納される。ＥＥＰＲＯＭ１２６には、ユーザ設定情報等のデジタルカメラ１００の動作に関する各種設定情報等が格納される。ワークメモリ１２８は、ＣＰＵ１１４の演算作業用領域及び画像データの一時記憶領域を含んでいる。
【０１０１】
操作部１１６は、ユーザが各種の操作入力を行うための手段であり、電源／モードスイッチ、モードダイヤル、レリーズスイッチ、十字キー、ズームボタン、ＭＥＮＵ／ＯＫボタン、ＤＩＳＰボタン及びＢＡＣＫボタンを含んでいる。操作用表示部１１８は、操作部１１６からの操作入力の結果を表示するための手段であり、例えば、液晶パネル又は発光ダイオード（ＬＥＤ）を含んでいる。
【０１０２】
電源／モードスイッチは、デジタルカメラ１００の電源のオン／オフの切り替え、及びデジタルカメラ１００の動作モード（再生モード及び撮影モード）の切り替え手段である。電源／モードスイッチがオンになると、電源部１２０からデジタルカメラ１００の各部への電力の供給が開始され、デジタルカメラ１００の各種の動作が開始される。また、電源／モードスイッチがオフになると、電源部１２０からデジタルカメラ１００の各部への電力の供給が停止される。
【０１０３】
モードダイヤルは、デジタルカメラ１００の撮影モードを切り替えるための操作手段であり、モードダイヤルの設定位置に応じて、２Ｄの静止画を撮影する２Ｄ静止画撮影モード、２Ｄの動画を撮影する２Ｄ動画撮影モード、３Ｄの静止画を撮影する３Ｄ静止画撮影モード及び３Ｄの動画を撮影する３Ｄ動画撮影モードの間で撮影モードが切り替えられる。撮影モードが２Ｄ静止画撮影モード又は２Ｄ動画撮影モードに設定されると、撮影モード管理フラグ１３０に、２Ｄ画像を撮影するための２Ｄモードであることを示すフラグが設定される。また、撮影モードが３Ｄ静止画撮影モード又は３Ｄ動画撮影モードに設定されると、撮影モード管理フラグ１３０に、３Ｄ画像を撮影するための３Ｄモードであることを示すフラグが設定される。ＣＰＵ１１４は、撮影モード管理フラグ１３０を参照して、撮影モードの設定を判別する。
【０１０４】
レリーズスイッチは、いわゆる「半押し」と「全押し」とからなる２段ストローク式のスイッチで構成されている。静止画撮影モード時には、レリーズスイッチが半押しされると、撮影準備処理（例えば、ＡＥ（Automatic Exposure：自動露出）処理、ＡＦ（Auto Focus：自動焦点合わせ）処理、ＡＷＢ（Automatic White Balance：自動ホワイトバランス）処理）が行われ、レリーズスイッチが全押しされると、静止画の撮影・記録処理が行われる。また、動画撮影モード時には、レリーズスイッチが全押しされると動画の撮影が開始され、再度全押しされると動画の撮影が終了する。尚、静止画撮影用のレリーズスイッチ及び動画撮影用のレリーズスイッチを別々に設けるようにしてもよい。
【０１０５】
３Ｄ ＬＣＤ１５０は、図１に示した３Ｄ画像表示装置１０の３Ｄ ＬＣＤ１２と同様の３Ｄ画像表示器であり、撮影した２Ｄ画像又は３Ｄ画像を表示するための画像表示部として機能するとともに、各種設定時にＧＵＩとして機能する。また、３Ｄ ＬＣＤ１５０は、撮影モード時に画角を確認するための電子ファインダとして機能する。
【０１０６】
縦／横撮り検出回路１３２は、例えば、デジタルカメラ１００の向きを検出するためのセンサを含んでおり、デジタルカメラ１００の向きの検出結果をＣＰＵ１１４に入力する。ＣＰＵ１１４は、デジタルカメラ１００が向きの場合に、縦撮りと横撮りの切り替えを行う。
【０１０７】
次に、デジタルカメラ１００の撮影機能について説明する。尚、図１２では、各撮影部１１２Ｒ及び１１２Ｌ内の各部にそれぞれ符号Ｒ及びＬを付して区別しているが、各部の機能は略同様であるため、以下の説明では、符号Ｒ及びＬを省略して説明する。
【０１０８】
撮影レンズ１６０は、ズームレンズ、フォーカスレンズ及び絞りを備えている。ズームレンズ及びフォーカスレンズは、各撮影部の光軸（図中のＬＲ及びＬＬ）に沿って前後に移動する。ＣＰＵ１１４は、測光・測距ＣＰＵ１８０を介して不図示のズームアクチュエータの駆動を制御することにより、ズームレンズの位置を制御してズーミングを行い、測光・測距ＣＰＵ１８０を介してフォーカスアクチュエータの駆動を制御することにより、フォーカスレンズの位置を制御してフォーカシングを行う。また、ＣＰＵ１１４は、測光・測距ＣＰＵ１８０を介して絞りアクチュエータの駆動を制御することにより、絞りの開口量（絞り値）を制御し、撮像素子１６２への入射光量を制御する。
【０１０９】
ＣＰＵ１１４は、３Ｄモード時に複数の画像を撮影する場合に、各撮影部１１２Ｒ及び１１２Ｌの撮影レンズ１６０Ｒ及び１６０Ｌを同期させて駆動する。即ち、撮影レンズ１６０Ｒ及び１６０Ｌは、常に同じ焦点距離（ズーム倍率）に設定される。また、常に同じ入射光量（絞り値）となるように絞りが調整される。更に、３Ｄモード時には、常に同じ被写体にピントが合うように焦点調節が行われる。
【０１１０】
フラッシュ発光部１７６は、例えば、放電管（キセノン管）により構成され、暗い被写体を撮影する場合や逆光時等に必要に応じて発光される。充電／発光制御部１７８は、フラッシュ発光部１７６を発光させるための電流を供給するためのメインコンデンサを含んでいる。ＣＰＵ１１４は、測光・測距ＣＰＵ１８０にフラッシュ発光指令を送信して、メインコンデンサの充電制御、フラッシュ発光部１７６の放電（発光）のタイミング及び放電時間の制御等を行う。尚、フラッシュ発光部１７６としては、発光ダイオードを用いてもよい。
【０１１１】
撮影部１１２は、被写体に光を照射するための距離用発光素子１８６（例えば、発光ダイオード）と、上記距離用発光素子１８６により光が照射された被写体の画像（測距用画像）を撮影する距離用撮像素子１８４とを備えている。
【０１１２】
測光・測距ＣＰＵ１８０は、ＣＰＵ１１４からの指令に基づいて、所定のタイミングで距離用発光素子１８６を発光させるとともに、距離用撮像素子１８４を制御して測距用画像を撮影させる。
【０１１３】
距離用撮像素子１８４によって撮影された測距用画像は、Ａ／Ｄ変換器１９６によりデジタルデータに変換されて、距離情報処理回路１９８に入力される。
【０１１４】
距離情報処理回路１９８は、距離用撮像素子１８４から取得した測距用画像を用いて、いわゆる三角測距の原理に基づいて、撮影部１１２Ｒ及び１１２Ｌによって撮影された被写体とデジタルカメラ１００との間の距離（被写体距離）を算出する。距離情報処理回路１９８によって算出された被写体距離は、距離情報記憶回路１０３に記録される。
【０１１５】
尚、被写体距離の算出方法としては、距離用発光素子１８６が発光してから、距離用発光素子１８６によって照射された光が被写体によって反射され、距離用撮像素子１８４に届くまでの光の飛行時間（遅れ時間）と光の速度から被写体距離を算出するＴＯＦ（Time of Flight）法を用いてもよい。
【０１１６】
また、撮影部１１２は、間隔／輻輳角駆動回路１８８及び間隔／輻輳角検出回路１９０を備えている。
【０１１７】
間隔／輻輳角駆動回路１８８Ｒ及び１８８Ｌは、それぞれ撮影部１１２Ｒ及び１１２Ｌを駆動する。ＣＰＵ１１４は、間隔／輻輳角制御回路１９２を介して間隔／輻輳角駆動回路１８８Ｒ及び１８８Ｌを動作させて、撮影レンズ１６０Ｒと１６０Ｌとの間隔及び輻輳角を調整する。
【０１１８】
間隔／輻輳角検出回路１９０Ｒ及び１９０Ｌは、例えば、電波を送受信する手段を含んでいる。ＣＰＵ１１４は、間隔／輻輳角制御回路９２を介して間隔／輻輳角検出回路１９０Ｒ及び１９０Ｌを動作させて、電波を相互に送受信させることにより、撮影レンズ１６０Ｒと１６０Ｌとの間隔及び輻輳角を測定する。撮影レンズ１６０Ｒと１６０Ｌとの間隔及び輻輳角の測定結果は、レンズ間隔・輻輳角記憶回路１０２に記憶される。
【０１１９】
撮像素子１６２は、例えば、カラーＣＣＤ固体撮像素子により構成されている。撮像素子１６２の受光面には、多数のフォトダイオードが２次元的に配画素されており、各フォトダイオードには所定の配画素で３原色（Ｒ、Ｇ、Ｂ）のカラーフィルタが配置されている。撮影レンズ１６０によって撮像素子６２の受光面上に結像された被写体の光学像は、このフォトダイオードによって入射光量に応じた信号電荷に変換される。各フォトダイオードに蓄積された信号電荷は、ＣＰＵ１１４の指令に従ってＴＧ１６４から与えられる駆動パルスに基づいて信号電荷に応じた電圧信号（Ｒ、Ｇ、Ｂ信号）として撮像素子１６２から順次読み出される。撮像素子１６２は、電子シャッタ機能を備えており、フォトダイオードへの電荷蓄積時間を制御することにより、露光時間（シャッタ速度）が制御される。
【０１２０】
尚、撮像素子１６２としては、ＣＭＯＳセンサ等のＣＣＤ以外の撮像素子を用いることもできる。
【０１２１】
アナログ信号処理部１６６は、撮像素子１６２から出力されたＲ、Ｇ、Ｂ信号に含まれるリセットノイズ（低周波）を除去するための相関２重サンプリング回路（ＣＤＳ）、Ｒ、Ｇ、Ｂ信号を増幅して一定レベルの大きさにコントロールするためのＡＧＳ回路を含んでいる。撮像素子１６２から出力されるアナログのＲ、Ｇ、Ｂ信号は、アナログ信号処理部１６６によって相関２重サンプリング処理されるとともに増幅される。アナログ信号処理部１６６から出力されたアナログのＲ、Ｇ、Ｂ信号は、Ａ／Ｄ変換器１６８によってデジタルのＲ、Ｇ、Ｂ信号に変換されて、画像入力コントローラ（バッファメモリ）１７０に入力される。
【０１２２】
デジタル信号処理部１７２は、同時化回路（単板ＣＣＤのカラーフィルタ配画素に伴う色信号の空間的なズレを補間して色信号を同時式に変換する処理回路）、ホワイトバランス調整回路、階調変換処理回路（ガンマ補正回路）、輪郭補正回路、輝度・色差信号生成回路等を含んでいる。画像入力コントローラ１７０に入力されたデジタルのＲ、Ｇ、Ｂ信号は、デジタル信号処理部１７２によって、同時化処理、ホワイトバランス調整、階調変換及び輪郭補正等の所定の処理が施されるとともに、輝度信号（Ｙ信号）及び色差信号（Ｃｒ、Ｃｂ信号）からなるＹ／Ｃ信号に変換される。
【０１２３】
ライブビュー画像（スルー画）を３Ｄ ＬＣＤ１５０に表示する場合、デジタル信号処理部１７２において生成されたＹ／Ｃ信号がバッファメモリ１４４に順次供給される。表示コントローラ１４２は、バッファメモリ１４４に供給されたＹ／Ｃ信号を読み出してＹＣ−ＲＧＢ変換部１４６に出力する。ＹＣ−ＲＧＢ変換部１４６は、表示コントローラ１４２から入力されたＹ／Ｃ信号をＲ、Ｇ、Ｂ信号に変換してドライバ１４８を介して３Ｄ ＬＣＤ１５０に出力する。これにより、３Ｄ ＬＣＤ１５０にスルー画が表示される。
【０１２４】
ここで、カメラのモードが撮影モードであり、２Ｄモードの場合には、所定の１つの撮影部（例えば、１１２Ｒ）により記録用の画像が撮影される。２Ｄモード時に、撮影部１１２Ｒによって撮影された画像は、圧縮・伸張処理部１７４Ｒによって圧縮される。この圧縮画像データは、メモリコントローラ１３４及びカードＩ／Ｆ１３８を介して、所定形式の画像ファイルとしてメモリカード３４に記録される。例えば、静止画についてはＪＰＥＧ（Joint Photographic Experts Group）、動画についてはＭＰＥＧ２又はＭＰＥＧ４、Ｈ．２６４規格に準拠した圧縮画像ファイルとして記録される。
【０１２５】
また、カメラのモードが撮影モードであり、３Ｄモード時には、撮影部１１２Ｒ及び１１２Ｌによって同期して画像が撮影される。尚、３Ｄモード時には、ＡＦ処理及びＡＥ処理は、撮影部１１２Ｒ及び１１２Ｌのいずれか一方によって取得された画像信号に基づいて行われる。３Ｄモード時に、各撮影部１１２Ｒ及び１１２Ｌによって撮影された２視点の画像は、それぞれ圧縮・伸張処理部１７４Ｒ及び１７４Ｌによって圧縮され、１つの３Ｄ画像ファイルに格納されてメモリカード３４に記録される。また、３Ｄ画像ファイルには、２視点の圧縮画像データとともに、被写体距離情報、撮影レンズ１６０Ｒ及び１６０Ｌの間隔及び輻輳角に関する情報等が格納される。
【０１２６】
一方、カメラの動作モードが再生モード時には、メモリカード３４に記録されている最終の画像ファイル（最後に記録された画像ファイル）が読み出されて、圧縮・伸張処理部１７４によって非圧縮のＹ／Ｃ信号に伸張された後、バッファメモリ１４４に入力される。表示コントローラ１４２は、バッファメモリ１４４に供給されたＹ／Ｃ信号を読み出してＹＣ−ＲＧＢ変換部１４６に出力する。ＹＣ−ＲＧＢ変換部１４６は、表示コントローラ１４２から入力されたＹ／Ｃ信号をＲ、Ｇ、Ｂ信号に変換してドライバ１４８を介して３Ｄ ＬＣＤ１５０に出力する。これにより、メモリカード３４に記録されている画像ファイルの画像が３Ｄ ＬＣＤ１５０に表示される。
【０１２７】
ここで、メモリカード３４から読み出された画像ファイルが２Ｄ画像ファイルの場合には、前述した３Ｄ画像表示装置１０と同様に、２Ｄ画像ファイルから本画像及びその付属情報が読み出され、［表１］に示したように表示用の２Ｄ画像（第１の画像）及びその付属情報の画像（第２の画像）が生成され、これららの画像が４つの指向性画像として３Ｄ ＬＣＤ１５０に表示される。
【０１２８】
一方、メモリカード３４から読み出された画像ファイルが３Ｄ画像ファイルの場合には、３Ｄ画像の画像ファイルから視点画像(1),(2)（左右の画像）及びその付属情報が読み出され、［表１］に示したように３Ｄ表示用の左画像、右画像（第１の画像）及びその付属情報の画像（第２の画像）が生成され、これらの画像が４つの指向性画像として３Ｄ 
また、再生モード時に、操作部１１６のＤＩＳＰボタンを操作することにより、３Ｄ ＬＣＤ１５０に、複数の画像の縮小画像（サムネイル画像）からなるマルチ画像を表示させることができる。
【０１２９】
図１３から図１５はそれぞれ４コマ分の縮小画像から構成されたマルチ画像が３Ｄ ＬＣＤ１５０に表示されたデジタルカメラの背面図である。
【０１３０】
この４分割のマルチ画像のうちの右下の画像は、３Ｄ画像ファイルから生成された画像であり、他の３つの画像は、２Ｄ画像ファイルから生成された画像である。
【０１３１】
図１３に示すように３Ｄ ＬＣＤ１５０を正面から見たときには、２Ｄ画像ファイルから生成された画像は、２Ｄ画像として視認可能に表示され、３Ｄ画像ファイルから生成された画像は、３Ｄ画像として視認可能に表示される。
【０１３２】
これらの２Ｄ画像と３Ｄ画像とは直感的に識別できない場合があり、特にマルチ画像のように１コマの画像が小さくなると、より両者の識別が難しくなる。
【０１３３】
この場合、デジタルカメラ１００を左右方向に傾け、図１４に示すように３Ｄ ＬＣＤ１５０を右から見るか、又は図１５に示すように３Ｄ ＬＣＤ１５０を左から見ることで、マルチ画像を構成する各コマが、２Ｄ画像ファイルから生成された画像か、３Ｄ画像ファイルから生成された画像かを直感的に識別することができる。
【０１３４】
即ち、図１４に示すように３Ｄ ＬＣＤ１５０を右から見ると、３Ｄ画像ファイルから生成された画像が表示されている右下の分割エリアから、その３Ｄ画像の付属情報の画像が視認され、２Ｄ画像ファイルから生成された画像が表示されている他の分割エリアからは引き続き２Ｄ画像が視認される。
【０１３５】
また、図１５に示すように３Ｄ ＬＣＤ１５０を左から見ると、３Ｄ画像ファイルから生成された画像が表示されている右下の分割エリアから、その３Ｄ画像の左画像（２Ｄ画像）が視認され、一方、２Ｄ画像ファイルから生成された画像が表示されている他の分割エリアからは、その２Ｄ画像の付属情報が視認される（［表２］参照）。
【０１３６】
このように３Ｄ ＬＣＤ１５０を左右方向から見ると、２Ｄ画像か３Ｄ画像かに応じて正面から視認される画像が変化し、これによりマルチ画像を構成する各コマが、２Ｄ画像ファイルから生成された画像か、３Ｄ画像ファイルから生成された画像かを直感的に識別することができる。
【０１３７】
［３次元画像表示装置の第３実施形態］
第３実施形態の３Ｄ画像表示装置は、３Ｄ画像ファイルから生成される第２表示情報が、第１、第２実施形態のものと相違するとともに、６つの指向性画像を同時に表示可能な３Ｄ ＬＣＤを有している点で相違する。
【０１３８】
即ち、図１６に示すように、３Ｄ画像ファイルから生成される第２表示情報として、３Ｄ ＬＣＤを正面から見たときに視認される通常の３Ｄ画像（左画像、右画像）（図１６（Ａ）に示す第１の画像）と、３Ｄ ＬＣＤを右から見たときに視認される、通常の３Ｄ画像を左にシフトさせた３Ｄ画像（左画像、右画像）（図１６（Ｂ）に示す第２の画像）と、３Ｄ ＬＣＤを左から見たときに視認される、通常の３Ｄ画像を右にシフトさせた３Ｄ画像（左画像、右画像）（図１６（Ｃ）に示す第２の画像）とを生成し、これらの６つの指向性画像を３Ｄ ＬＣＤに表示させるようにしている。
【０１３９】
これにより、３Ｄ画像ファイルから生成される画像が３Ｄ ＬＣＤに表示されている場合には、その３Ｄ ＬＣＤを左右方向から見ると、画像が左右方向に移動し、この画像の移動により直感的に３Ｄ画像を識別することができる。
【０１４０】
［３次元画像表示装置の第４実施形態］
第４実施形態の３Ｄ画像表示装置は、３Ｄ画像ファイルから生成される第１表示情報、第２表示情報が、第１から第３実施形態のものと相違する。
【０１４１】
即ち、図１７（Ａ）及び（Ｂ）に示すように、３Ｄ画像ファイルの先頭画像から生成される第１表示情報として、通常の画像よりも小さい画像（２Ｄ画像）を生成する。この場合、３Ｄ ＬＣＤを見る角度による見え方は、この時点では変化させないようにしている。
【０１４２】
第１表示情報が表示されてから所定時間経過後に表示される第２表示情報として、３Ｄ ＬＣＤを正面から見たときに視認される通常の３Ｄ画像（左画像、右画像）（図１７（Ａ））と、３Ｄ ＬＣＤを右から見たときに視認される、通常の３Ｄ画像よりも小さい３Ｄ画像（左画像、右画像）（図１８（Ｂ））とを生成し、これらの指向性画像を３Ｄ ＬＣＤに表示させるようにしている。
【０１４３】
これにより、３Ｄ ＬＣＤを正面から見ているときに、図１７（Ａ）に示す画像（小さい２Ｄ画像）から図１８（Ａ）に示す画像（通常サイズの３Ｄ画像）に切り替わることで、３Ｄ画像ファイルから生成される画像であることが直感的に識別できる。
【０１４４】
また、第２表示情報の表示後も、３Ｄ ＬＣＤの見る角度により大きさの異なる３Ｄ画像を視認することができ、これにより３Ｄ画像ファイルから生成された画像であることが直感的に識別できる。
【０１４５】
［その他］
この実施形態の３Ｄ ＬＣＤは、レンチキュラレンズを使用したものであるが、これに限らず、パララックスバリアを使用したものでもよく、要は２以上の指向性画像を同時に表示可能な３Ｄ画像表示手段であれば、如何なるものでもよい。
【０１４６】
また、３Ｄ画像表示手段に表示させる複数の指向性画像としては、３Ｄ画像表示手段の左右方向の見る角度による見え方の違いにより、２Ｄ画像と３Ｄ画像とが識別できるものであればよく、この実施形態に限定されない。
【０１４７】
本発明は上述した実施形態に限定されず、本発明の精神を逸脱しない範囲で種々の変形が可能であることは言うまでもない。
【符号の説明】
【０１４８】
１０…３次元画像表示装置（３Ｄ画像表示装置）、１２、１５０…３次元液晶ディスプレイ（３Ｄ ＬＣＤ）、２０、１１４…中央処理装置（ＣＰＵ）、２２、１２８…ワークメモリ、２６、１００…デジタルカメラ、１４２…表示コントローラ、２８、１３６…バッファメモリ、３０、１２６…ＥＥＰＲＯＭ
【図１】
2011109268.tif 000005
【図２】
2011109268.tif 000006
【図３】
2011109268.tif 000007
【図４】
2011109268.tif 000008
【図５】
2011109268.tif 000009
【図６】
2011109268.tif 000010
【図７】
2011109268.tif 000011
【図８】
2011109268.tif 000012
【図９】
2011109268.tif 000013
【図１０】
2011109268.tif 000014
【図１１】
2011109268.tif 000015
【図１２】
2011109268.tif 000016
【図１３】
2011109268.tif 000017
【図１４】
2011109268.tif 000018
【図１５】
2011109268.tif 000019
【図１６】
2011109268.tif 000020
【図１７】
2011109268.tif 000021
【図１８】
2011109268.tif 000022